(57)【要約】【課題】カメラ本体側のイメージサイズに対して異なるイメージサイズのレンズを装着したときにも、適正な焦点調整が可能な撮像装置を提供する。【解決手段】交換レンズのイメージサイズ情報が記録された交換レンズ側から、前記イメージサイズ情報を入力する入力手段と、前記入力手段によって入力された前記イメージサイズ情報に基づき、前記交換レンズのイメージサイズが当該撮像装置本体のイメージサイズに適合するか否かを判定する判定手段と、前記判定手段によって不適合と判定されたときに、画像を拡大する電子ズームにより前記交換レンズのイメージサイズに当該撮像装置本体を適合させる適合手段とを備え、前記適合手段により電子ズームが行われたときは、電子ズームの拡大率に基づいて焦点検出領域を変更して、変更後の焦点検出領域を表示手段により表示し、レンズの合焦制御を行う。【選択図】      図１１
2004212892.tif 000002
【特許請求の範囲】
【請求項１】
交換レンズのイメージサイズ情報が記録された交換レンズ側から、前記イメージサイズ情報を入力する入力手段と、前記入力手段によって入力された前記イメージサイズ情報に基づき、前記交換レンズのイメージサイズが当該撮像装置本体のイメージサイズに適合するか否かを判定する判定手段と、前記判定手段によって不適合と判定されたときに、画像を拡大する電子ズームにより前記交換レンズのイメージサイズに当該撮像装置本体を適合させる適合手段とを備え、
前記適合手段により電子ズームが行われたときは、電子ズームの拡大率に基づいて焦点検出領域を変更して、変更後の焦点検出領域を表示手段により表示し、レンズの合焦制御を行うことを特徴とする撮像装置。
【発明の詳細な説明】
【０００１】
【発明の属する技術分野】
本発明は、レンズ交換可能な電子カメラ等の撮像装置に関する。
【０００２】
【従来の技術】
従来、レンズ交換可能な電子カメラにおいては、イメージサイズの異なるカメラ本体及び交換レンズ毎にそれぞれマウントの径を変えているものがあるが、このようなものでは交換レンズの汎用性が乏しいものとなる。しかし、マウントをすべて共通化すると、イメージサイズの大きな交換レンズであれば小さなイメージサイズ用のカメラ本体に対しては問題ないが、交換レンズのイメージサイズが小さい場合には光束のケラレ（口径食）等によりカメラの撮影画面の周辺部に十分な光が到達しないという問題が生じる。
【０００３】
これに対して、小さなイメージサイズの交換レンズを大きなイメージサイズのカメラ本体に対してメカ的に装着不能にすることにより、前記ケラレ等の問題の発生を防止する技術が開示されている（例えば、特許文献１及び特許文献２参照）。また、交換レンズとカメラ本体とを電気的に接続し、レンズ側に記憶された交換レンズのイメージサイズに関連する情報に基づいて、カメラ本体側のイメージサイズに対して交換レンズのイメージサイズが適合しないと判定された場合（交換レンズ側のイメージサイズが小さい場合）に、警告を発するようにした構成も提案されている（例えば、特許文献３参照）。
【０００４】
一方、上記電子カメラはいずれも、カメラ本体に対して交換レンズのイメージサイズが適合しない場合に、その交換レンズの装着を回避することによってケラレ等の問題の発生を防止するものであり、交換レンズの汎用性が十分に確保されたわけではない。
【０００５】
そこで、カメラ本体に適合しないイメージサイズの交換レンズを装着した場合であっても、ケラレのない良好な撮影画像を得ることができる電子カメラを提供することを目的として、次のような提案もなされている。すなわち、カメラ側マウントを有するカメラ本体と、該カメラ側マウントと結合するレンズ側マウントを有する交換レンズとから成る電子カメラにおいて、交換レンズのイメージサイズを表す情報をカメラ本体に入力する入力手段を有し、この入力手段によって入力された前記情報に基づき、交換レンズのイメージサイズがカメラ本体に適合するか否かを判定し、不適合と判定されると、交換レンズによって形成される撮像素子上の像を表す画像信号に対して電子回路で信号処理を行うことによって撮影素子上の像の所定範囲に対応する像を拡大する電子ズームを実行し、交換レンズのイメージサイズにカメラ本体を適合させるようにしたものである。
【０００６】
【特許文献１】
特開平２−３３２６７号公報
【特許文献２】
特開平２−３３２６８号公報
【特許文献３】
特開平２−３９７７７号公報
【０００７】
【発明が解決しようとする課題】
前述のように、イメージサイズの小さいレンズを装着したときにカメラをこれに適応させて撮影することは撮影画面の小さいカメラとして撮影することになるが、一般に撮影画面上での合焦状態を規定する許容錯乱円径は画面サイズに応じて変わり、撮影画面が小さくなると許容錯乱円径が小さくなる。例えば画面対角長約４３ｍｍの２４×３６のサイズでは３５μであるが、さらに小さい画面サイズのものではその画面対角長に見合った値となる。したがって、この場合は、焦点調節動作を制御する上で許容錯乱円径もイメージサイズに応じて狭くする必要がある。また、それに応じた表示をカメラ側の表示部で行わなければ、撮影者は実際のイメージサイズを理解しないで撮影を行うこととなる。
【０００８】
そのため、従来では、カメラ本体側のイメージサイズに対してイメージサイズの小さいレンズを装着したときにも焦点調節動作の焦点検出表示が変更されていないので、撮影画角に問題を生じることがあった。さらに、焦点検出範囲も撮影画角の変化に応じて変更するが、変更内容が表示されないと撮影者が誤った焦点検出エリアを使って撮影を行う、という問題も生じる。
【０００９】
本発明は上記従来の問題点に鑑み、カメラ本体側のイメージサイズに対して異なるイメージサイズのレンズを装着したときにも、適正な焦点調整を行うことができる撮像装置を提供することを目的とする。
【００１０】
【課題を解決するための手段】
上記目的を達成するために本発明では、交換レンズのイメージサイズ情報が記録された交換レンズ側から、前記イメージサイズ情報を入力する入力手段と、前記入力手段によって入力された前記イメージサイズ情報に基づき、前記交換レンズのイメージサイズが当該撮像装置本体のイメージサイズに適合するか否かを判定する判定手段と、前記判定手段によって不適合と判定されたときに、画像を拡大する電子ズームにより前記交換レンズのイメージサイズに当該撮像装置本体を適合させる適合手段とを備え、前記適合手段により電子ズームが行われたときは、電子ズームの拡大率に基づいて焦点検出領域を変更して、変更後の焦点検出領域を表示手段により表示し、レンズの合焦制御を行うことを特徴とする。
【００１１】
【発明の実施の形態】
以下、本発明の実施の形態を図面に基づいて説明する。
【００１２】
［第１実施形態］
＜デジタル一眼レフカメラの外観＞
図１は、本発明の第１実施形態に係るデジタル一眼レフカメラの外観を示す上面図であり、図２は、図１に示したデジタル一眼レフカメラの外観を示す背面図である。
【００１３】
図１及び図２において、１００はカメラ本体、２００はカメラ本体１００に対して不図示の本体マウントを介して交換可能な撮影レンズである。１５０は撮影操作を行うためのレリーズボタンであり、１５１は多機能信号入力用のメイン電子ダイヤルであり、他の操作釦と併用して、カメラに数値を入力したり、撮影モードを切り換えたりするために用いる。
【００１４】
１５２は、メイン電子ダイヤル１５１と同様の機能を備えた、本デジタルカメラの撮影条件等を選択するためのサブ電子ダイヤルである。１５３は、撮影条件等を表示する外部表示機能を備えた液晶表示装置から成る外部表示ＬＣＤである。
【００１５】
図２において、１５４は、撮影時は電子ビューファインダの機能を有し再生時は撮影された画像を表示する表示手段としてのＬＣＤモニタ（液晶表示器）である。１５５はＬＣＤモニタ１５４をオン／オフするためのモニタスイッチである。本実施形態によるＬＣＤモニタ１５４は透過型であるため、ＬＣＤモニタ１５４の駆動だけでは、画像を視認することはできず、必ずその裏面には不図示のバックライト照明装置が必要である。ＬＣＤモニタ１５４と不図示のバックライト照明装置により表示手段を構成している。
【００１６】
１５６はファインダ観察用の接眼窓、１５７はサブ電子ダイヤル１５２による入力機能をロックするダイヤルロックスイッチ、１５８は本カメラの電源を制御するメインスイッチである。
【００１７】
＜デジタル一眼レフカメラの構造＞
図３は、図１に示したデジタル一眼レフカメラの概略構造を示す断面図である。
【００１８】
２００は撮影レンズ部であり、内部に収納されている撮影レンズは便宜上２００ａ、２００ｂの２枚レンズで示したが、実際はさらに多数のレンズから構成されていることは周知の通りである。１００はカメラ本体、１０１は主ミラーで、観察状態の時は撮影光路に斜設され撮影状態時は退去される。１０２はサブミラーで、主ミラー１０１を透過した光束をカメラボディの下方へ向けて反射する。１０３はシャッタ、１０４は撮影画像を記録するためのＣＣＤやＭＯＳ型等の固体撮像素子である。
【００１９】
１０５は７点の焦点検出領域を有する焦点検出装置であり、その構成は結像面近傍に配置されたフィールドレンズ１０５ａ、反射ミラー１０５ｂ及び１０５ｃ、２次結像レンズ１０５ｅ、絞り１０５ｄ、複数のラインセンサーからなるＣＣＤ１０５ｆ等から構成されている周知の位相差方式の焦点検出装置である。
【００２０】
１０６は撮影レンズ２００ａ，２００ｂの予定結像面に配置されたピント板であり、１０８はファインダ光路変更用のペンタダハプリズムである。ペンタダハプリズム１０８の射出面後方には、例えば可視光を透過し赤外光を反射するダイクロイックミラーからなる光分光器１０９、接眼レンズ１１０が配置され、ピント板１０６に結像された被写体像の光束が撮影者の眼球１１１に達し観察される。１１２、１１３は観察画面内の被写体輝度を測定するための結像レンズと測光センサーであり、結像レンズ１１２はペンタダハプリズム１０８内の反射光路を介してピント板１０６と測光センサー１１３を共役な結像関係に結像させている。
【００２１】
１１４は明るい被写体の中でも視認できる光を発する高輝度ＬＥＤ、１１５は集光レンズである。１１６はスーパーインポーズ用ＬＣＤであり、前記７点の焦点検出領域を複数のセグメントによりパターン化し、選択されたセグメント領域のみを光透過可能とする電界効果型のツイステッドネマティックモード（Ｔｗｉｓｔｅｄ  Ｎｅｍａｔｉｃ  Ｍｏｄｅ）を利用したＴＮ液晶表示器からなる。
【００２２】
ＬＥＤ１１４から発せられた光束は、集光レンズ１１５及びスーパーインポーズ用ＬＣＤ１１６の透過セグメントを通過し、投光レンズ１１７を介して光分光器１０９に達する。ここでピント板１０６に結像された被写体象と透過セグメントのパターンが重ねて表示され、接眼レンズ１１０を介して観察者の眼球１１１に達し、観察される。
【００２３】
１１８はファインダ視野外に撮影情報を表示するためのファインダ内ＬＣＤであり、照明用ＬＥＤ１１９（Ｆ−ＬＥＤ）によって照明され、ＬＣＤ１１８を透過した光が三角プリズム１２０によってファインダ内に導かれ、ファインダ視野外に表示され、撮影者は撮影情報を知ることができる。
【００２４】
２０１は、撮影レンズ部２００内に設けた絞り、２０２は絞り駆動回路を含む絞り駆動装置、２０３はレンズ駆動用モータ、２０４は駆動ギヤ等からなるレンズ駆動部材、２０５はフォトカプラであり、レンズ駆動部材２０４に連動するパルス板２０６の回転を検知してフォーカス駆動回路に伝えている。フォーカス駆動回路は、この情報とカメラ側からのレンズ駆動量の情報に基づいて、レンズ駆動用モータ２０３を所定量駆動させ、撮影レンズ２００ａを合焦位置に移動させるようになっている。１２１〜１２４、２０７〜２１０はカメラ本体１００とレンズ鏡筒２００とのインターフェイスとなるマウント接点である。
【００２５】
＜カメラの電気的構成＞
図４は、図１に示したカメラの電気的構成を示すブロック図である。
【００２６】
同図において、１はシステムコントローラであり、カメラの各回路部から必要に応じてデータを取り込み、所要の回路部に必要な制御データを送出するようにしてカメラ全体のシーケンスを統括的に制御する。
【００２７】
撮影レンズ部２００において、該撮影レンズ２００ａ，２００ｂを収納するレンズ筐体（不図示）の適所には、レンズの種類、開放Ｆ値、イメージサイズ情報、及びＫ値（レンズ駆動量から駆動パルス数への変換係数）などのレンズ固有のデータが予め書き込まれたＲＯＭ等のレンズ情報記憶手段２が設けられている。この撮影レンズの内部にレンズマイコンを内蔵させ、必要に応じてシステムコントローラ１とデータ交信させることで処理速度を向上させるようにすることができる。
【００２８】
３は焦点距離検出手段であり、被写体像のデフォーカス量を検出するものである。すなわち、この焦点検出手段３は、撮影レンズ２００ａ，２００ｂを通過してくる被写体像をコンデンサレンズ及び基準部と参照部から成るライン状の固体撮像素子（ＣＣＤ）等の測距素子部に導くものである。システムコントローラ１は、上記焦点検出手段３の動作を制御するとともに、得られた受光信号を取り込み、位相差方式を用いてデフォーカス量を算出し、さらにレンズ情報記憶手段３からＫ値を取り込んで、レンズ駆動量に相当する計数値に変換計算する。また、システムコントローラ１はレンズ駆動用信号をレンズ駆動手段に送出する。
【００２９】
４はレンズ駆動手段であり、レンズ駆動信号を受けて撮影レンズ２００ａ，２００ｂを合焦方向に向けて駆動させる。なお、レンズ駆動信号は、所定のデューティを有するパルス列を用いることができる。また、レンズ駆動手段４の適所あるいはレンズ側には、レンズの移動量に相当する回転量を出力するロータリエンコーダが設けられており、システムコントローラ１は上記ロータリエンコーダの発生パルスの個数が、前記求めた計数値に達するまでレンズ駆動を行う。
【００３０】
５は露出制御手段であり、例えば第１幕と第２幕とを有するフォーカルプレーンシャッタの場合、該第１幕及び第２幕の走行及び元の位置への復帰（チャージ）を行う。６は絞り制御手段であり、撮影レンズ部２００内の絞り２０１を所要の絞り位置にセットするとともに、元の開放位置にチャージする。
【００３１】
７はミラー制御手段であり、撮影レンズ２００ａ，２００ｂとシャッタ間に配置され、焦点検出の他、測光やファインダへ被写体像を導くための（ハーフ）ミラーをレリーズ（露光）時に光軸上から退避させる。これにより、撮影レンズ２００ａ，２００ｂを通過した被写体像を直接固体撮像素子１００に記録させるためのものである。また、ミラー制御手段７は、レリーズ動作終了後、再び初期位置に移動させる。
【００３２】
８は表示手段であり、ＬＣＤモニタ、ファインダ視野内のスーパーインポーズ、ファインダ視野外表示部、外観の一部にある外観表示部などの各表示部を制御する。９は一時的に記録されたデジタル信号を記録するメモリである。また、ＳＷ１は測距及び測光を指示するスイッチ、ＳＷ２はレリーズを指示するスイッチである。これらのスイッチＳＷ１，ＳＷ２はカメラ本体１００の外部適所に設けられたシャッタ釦内に組み込まれ、該シャッタ釦の半押しでスイッチＳＷ１がオンし、全押しするとスイッチＳＷ２がオンするように構成している。スイッチ（Ｓ／Ｃ）は１枚毎の単写モード（Ｓ）、連写モード（Ｃ）を選択的に切り換えるものである。
【００３３】
＜システムコントローラ１内の各機能＞
図５は、システムコントローラ１内の各機能を実現する機能達成手段を示すブロック図である。
【００３４】
１０は撮影レンズ２００ａ，２００ｂのイメージサイズを判別するイメージサイズ判定手段である（後述詳細を記す）。１１は焦点検出領域切換手段であり、上記像面速度の他、スイッチ（Ｓ／Ｃ）、スイッチＳＷ２の状態及び前記Ｋ値や開放Ｆ値等のレンズ情報を取り込み、条件に合った好適な焦点検出を設定する。１２は焦点判定手段であり、検出されたデフォーカス量が所定の合焦幅内に入っているかどうかを判定し適正な焦点調節が行われたか否かを判定する。１３は、ＡＦシーケンス制御手段であり、システムコントローラ１からの指令に基づいてＡＦ動作のためのメカ部分の駆動をシーケンス制御するものである。１４は、表示部切替え手段であり、イメージサイズ情報を基に、各表示部の表示手段をそれぞれのイメージサイズにあった表示形態に表示部を制御する。
【００３５】
＜イメージサイズ＞
次に、イメージサイズについて説明する。
【００３６】
電子カメラ本体１００の所定のマウント部１２１〜１２４と撮影レンズ部２００の所定のマウント部２０７〜２１０とを所定の手段によって連結する。すると、電子カメラ本体１００の電気接点と撮影レンズ部２００の電気接点とが接触状態となる。これによって両者の間は、電気的な接続が確保された状態となる。
【００３７】
この状態において、電子カメラ本体１００の主電源が投入されることによって、本電子カメラシステムは、撮影記録動作を開始し得る撮影準備状態になる。すなわち、この主電源が投入されることによって、システムコントローラ１が起動して、同システムコントローラ１は、本電子カメラシステムにおける回路全体の初期化を行う。
【００３８】
そして、所定の初期化処理が完了すると、続いて同システムコントローラ１は、マウント側電気接点及び本体側電気接点を介して撮影レンズ部２００の記憶手段２からイメージサイズ情報を読み込む。このとき読み込まれるイメージサイズ情報は、上述したように装着された撮影レンズ部２００を構成する撮影光学系に関する固有の情報である。
【００３９】
このようにして、システムコントローラ１によって電子カメラ本体１００側に読み込まれたイメージサイズ情報は、同システムコントローラ１の内部記憶領域や本電子カメラ本体１００のメモリ９の所定領域に一時的に記憶される。なお、メモリ９に一時的に記憶されたイメージサイズ情報は、本電子カメラ本体１００の主電源がオフ状態とされたときには、無効な情報として扱われ、次回のシステム起動時における初期化処理によって消去される。そして、撮影レンズ部２００の記憶手段２から所定のイメージサイズ情報を読み込むための制御が改めて実行される。
【００４０】
また、メモリ９に一時的に記憶されたイメージサイズ情報は、撮影レンズ部２００が電子カメラ本体１００から取り外され、マウント側電気接点と本体側電気接点の間の電気的な接続が切り離されたときにも無効化されるようになっている。この場合には、他の撮影レンズ部２００が電子カメラ本体１００に装着され、マウント側電気接点と本体側電気接点の間の電気的な接続が新たに確立されることを待って、システムコントローラ１は、自動的に記憶手段２から所定のイメージサイズ情報を読み込む制御を実行する。これによってメモリ９には、新たなイメージサイズ情報が無効化された情報に上書きされることになる。
【００４１】
以上のようにして、本電子カメラシステムはイメージサイズ情報の読み出しを行っている。
【００４２】
＜イメージサイズと焦点検出領域の関係＞
次に、ＬＣＤモニタに表示されるイメージサイズと焦点検出領域の関係について、図６を参照して説明する。
【００４３】
本実施形態で用いるイメージサイズには、図６に示す３種類（大・中・小）のサイズがある。図６中の２０は標準撮影レンズ装着時のイメージサイズ（大）であり、２３はその時の測光及び焦点検出エリアである。２１はイメージサイズ（中）で、前記イメージサイズ２０の２／３サイズである。２２はイメージサイズ（小）で、前記イメージサイズ２０の１／３サイズである。
【００４４】
上記より、
Ａ：Ｂ：Ｃ＝Ａ：Ａ＊２／３：Ａ＊１／３＝１：２／３：１／３
の関係が成立する。
【００４５】
図７（ａ）は、標準サイズでもあるイメージサイズ（大）になる撮影レンズが装着されている場合における焦点検出点を示す図である。
【００４６】
イメージサイズ（大）の撮影可能領域内には焦点検出を行う焦点検出点２６〜３２が７点含まれているので、７点すべてにおいて焦点検出が可能である。この時の、電子ビューファインダであるＬＣＤモニタ１５４に表示される焦点検出領域を図８（ａ）に示す。図７（ａ）と同様に焦点検出点２６〜３２が７点表示され、７点すべてにおいて焦点検出領域内で焦点検出が可能である。
【００４７】
図７（ｂ）は、イメージサイズ（中）になる撮影レンズが装着されている場合における焦点検出点を示す図である。
【００４８】
イメージサイズ（中）の撮影可能領域内には焦点検出を行う焦点検出点２６〜３０が５点含まれているので、５点において焦点検出が可能である。領域外の焦点検出点３１、３２においては焦点検出は行われない。この時の、ＬＣＤモニタに表示される焦点検出領域を図８（ｂ）に示す。焦点検出点２６〜３０の５点の焦点検出領域で焦点検出が可能であり、焦点検出点３１、３２は焦点検出が行われないので非表示である。
【００４９】
図７（ｃ）は、イメージサイズ（小）になる撮影レンズが装着されている場合における焦点検出点を示す図である。
【００５０】
イメージサイズ（小）の撮影可能領域内には焦点検出を行う焦点検出点２６が１点しか含まれておらず、そのため１点のみによる焦点検出が可能である。領域外の焦点検出点２７〜３２においては焦点検出は行われない。この時の、ＬＣＤモニタに表示される焦点検出領域は図８（ｃ）に示す。焦点検出点２６が１点のみであるので、この中央１点が焦点検出領域となり焦点検出が可能である。その他の焦点検出点２７〜３２は焦点検出が行われないので非表示である。
【００５１】
＜ファインダ内表示＞
次に、ファインダ内表示について説明をする。
【００５２】
図９（ａ），（ｂ），（ｃ）は、イメージサイズの異なる撮影レンズが装着された時のファインダ内の表示状態を示す図であり、同図（ａ）は、標準サイズでもあるイメージサイズ（大）の時のファインダ内表示であり、同図（ｂ）は、イメージサイズ（中）の時のファインダ内表示であり、同図（ｃ）は、イメージサイズ（小）の時のファインダ内表示である。
【００５３】
この図９（ａ），（ｂ），（ｃ）において、焦点検出視野枠内には前述の焦点検出点２６〜３２がスーパーインポーズ表示される。１０７は視野枠であり、ファインダ視野外には、合焦時に点灯する合焦表示部３３と、シャッタスピード表示部３４と、絞り表示部３５と、イメージサイズの大きさを表す指標部３６（７：標準サイズ、５：中サイズ、１：小サイズ）とが設けられている。
【００５４】
イメージサイズの大きさを表す指標について説明すると、イメージサイズ（大）の時は焦点検出領域の焦点検出点が７点可能であるので、数字の「７」が点燈する。イメージサイズ（中）の時は焦点検出領域の焦点検出点が５点可能であるので、数字の「５」が点燈する。イメージサイズ（小）の時は焦点検出領域の焦点検出点が１点可能であるので、数字の「１」が点燈する。
【００５５】
このように光学ファインダでは、ＬＣＤモニタのように撮影可能な領域のみを切り出して拡大表示することができないので、ファインダ内表示の点燈にて表示の差別化を行う。これによりファインダ内を覗いた時でもカメラ本体に装着されている撮影レンズのイメージサイズの大きさを容易に確認でき、光学ファインダを用いて撮影をすると撮影領域が不明確になる問題を撮影者に容易に知らせることができる。このため、撮影者の判断により光学ファインダによる撮影が不適と思うならば、ＬＣＤモニタによる撮影へ切り替えることができるので、撮影領域の問題を未然に解消できる効果を得られる。
【００５６】
図９（ａ）に示すように、イメージサイズ（大）の撮影領域内には、焦点検出を行う焦点検出点２６〜３２が７点すべて含まれるので、７点すべてにおいて焦点検出が可能である。よって、スーパーインポーズ表示も７点すべてが点燈をする。この時の、ファインダ視野外にあるイメージサイズの大きさを表す指標は「７」で、イメージサイズ（大）を表す。
【００５７】
図９（ｂ）に示すように、イメージサイズ（中）の撮影領域内には、焦点検出を行う焦点検出点２６〜３０が５点含まれているので、５点による焦点検出が可能である。よって、スーパーインポーズ表示も５点が点燈し、残りの２点は非表示である。この２点は焦点検出領域外にあるために使用することができないからである。この時の、ファインダ視野外にあるイメージサイズの大きさを表す指標は「５」で、イメージサイズ（中）を表す。
【００５８】
図９（ｃ）に示すように、イメージサイズ（小）の撮影領域内には焦点検出を行う焦点検出点２６が１点のみ含まれているので、１点のみによる焦点検出が可能である。よって、スーパーインポーズ表示も１点のみが点燈し、残りの６点は表示されない。この６点は焦点検出領域外にあるために使用することができないからである。この時の、ファインダ視野外にあるイメージサイズの大きさを表す指標は「１」で、イメージサイズ（小）を表す。
【００５９】
＜外部表示＞
次に、外観部にある外部表示について説明する。
【００６０】
図１０（ａ），（ｂ），（ｃ）は、外観部にある外部表示ＬＣＤ１５３の表示状態を示す図であり、同図（ａ）はイメージサイズ（大）の時の表示状態であり、同図（ｂ）はイメージサイズ（中）の時の表示状態であり、図１０（ｃ）はイメージサイズ（小）の時の表示状態である。
【００６１】
図中の３７はバッテリー残量表示、３８はマニュアル露出やプログラム自動露出（ＡＥ）撮影など切り替える撮影モード切り替え表示、３９は絞り値の表示、４０はシャッタスピードを表示するシャッタ速度表示、４１はＯＮＥ  ＳＨＯＴ  ＡＦと、ＡＩ  ＳＥＲＶＯ  ＡＦを切り替えるオートフォーカス（ＡＦ）モード表示、４２は単写、連写、セルフタイマー撮影などを切り替えるドライブモード表示、４３は露出補正表示、４４は評価測光、部分測光、スポット測光、中央部重点平均測光などの測光モード表示、４５はＣＦ（コンパクト・フラッシュ）などの記録媒体への撮影枚数を表示する撮影枚数カウンタ及びＩＳＯ表示、４６はＡＥＢ撮影表示、４７はストロボ調光補正表示、４８はイメージサイズの大きさの指標表示である。
【００６２】
図１０（ａ）に示すように、イメージサイズ（大）の撮影領域内には、焦点検出を行う焦点検出点２６〜３２が７点含まれていて、７点すべてが焦点検出可能であるために、外部表示ＬＣＤ１５３にあるイメージサイズの大きさを表す指標部４８は「７」を表示し、この数字の「７」はファインダ視野外表示部３６と同様の表示内容であり、イメージサイズ（大）を表す。
【００６３】
図１０（ｂ）に示すように、イメージサイズ（中）の撮影領域内には、焦点検出を行う焦点検出点２６〜３０が５点含まれていて、５点による焦点検出が可能であり、外部表示ＬＣＤ１５３にあるイメージサイズの大きさを表す指標部４８は「５」を表示し、この数字の「５」はファインダ視野外表示部３６と同様の表示内容であり、イメージサイズ（中）を表す。
【００６４】
図１０（ｃ）に示すように、イメージサイズ（小）の撮影領域内には、焦点検出を行う焦点検出点２６が１点のみ含まれていて、１点のみによる焦点検出が可能であり、外部表示ＬＣＤ１５３にあるイメージサイズの大きさを表す指標部４８は「１」を表示し、この数字の「１」はファインダ視野外表示部３６と同様の表示内容であり、イメージサイズ（小）を表す。
【００６５】
＜カメラの動作＞
次に、カメラ本体１００が起動してからレリーズまでの処理について、図１１，１２，１３のフローチャートを参照しつつ説明する。なお、この図１１，１２，１３のフローチャートに従ったプログラムを例えばシステムコントローラ１内の記憶装置に格納し実行することにより、以下の制御方法を実現させることが可能となる。
【００６６】
スイッチＳＷ１がオンすると、撮影レンズ部２００との通信を開始し、イメージサイズ情報を確認する（ステップＳ１〜ステップＳ３）。イメージサイズ情報の判定確認結果がイメージサイズ（大）と判定されたときはステップＳ４へ進む。
【００６７】
ステップＳ４は、イメージサイズ情報から焦点検出領域に対するイメージサイズ（大）の設定を行う。続くステップＳ５では、イメージサイズの設定結果を得て、ファインダ内の表示を行う。ファインダ視野内のスーパーインポーズ表示には、イメージサイズ（大）の時に焦点検出が可能な焦点検出点が７点存在するので、焦点検出が可能な７点の焦点検出点が点燈する。また、視野外表示部においては、焦点検出点が７点有効となるので数字の「７」が点燈する。
【００６８】
外観表示部の外部表示ＬＣＤ１５３においても、イメージサイズ設定結果を基に焦点検出点の７点が有効である指標を表示する。表示内容は焦点検出点が７点有効となるので数字の「７」が点燈する（ステップＳ６）。
【００６９】
以上、イメージサイズ（大）の設定が終了するとステップＳ７へ進む。ステップＳ７では、ＡＦシーケンス制御手段１３が起動され、先ず測距素子であるＣＣＤの残留電荷の消去が行われ、次いで測距素子部へ被写体像を導いて所定の電荷が得られるまで電荷蓄積を行い、所定電荷量（電圧）に達すると上記蓄積を停止してＣＣＤ各素子の信号を不図示のメモリに転送する（ステップＳ７〜ステップＳ９）。
【００７０】
転送データからデフォーカス量を求め、さらにＫ値を用いて計数値が変換計算され（ステップＳ１０）、そして、合焦判定を行い（ステップＳ１１、Ｓ１２）、合焦でなければステップＳ３８へ移行し、レンズの駆動を行って、ステップＳ７へ戻り、再度前述の動作（ステップＳ７〜ステップＳ１２）を繰り返す。
【００７１】
合焦後、イメージサイズ（大）におけるファインダ視野内において有効なスーパーインポーズ表示（７点）のうち、合焦領域のスーパーインポーズ表示のみ点燈をする（ステップＳ１３）。ＬＣＤモニタ１５４にも図８（ａ）に示すように表示部全体に有効な焦点検出点の７点のうち、前述同様に合焦領域のスーパーインポーズ表示のみ点燈をする（ステップＳ１４）。これにより、ファインダ視野内、ＬＣＤモニタ１５４の２つの異なる撮影系ファインダにイメージサイズの領域が表示されレリーズを行うことができる。
【００７２】
一方、ステップＳ３のイメージサイズ情報確認でイメージサイズ情報が大サイズ以外と確認された時は、イメージサイズ（大）以外を有する撮影レンズが装着されているので、さらに撮影レンズのイメージサイズの大きさ判定を行う（ステップＳ１５）。イメージサイズの大きさ判定結果がイメージサイズ（中）と判定されるとステップＳ１６へ進む。
【００７３】
ステップＳ１６は、イメージサイズ情報から焦点検出領域に対するイメージサイズ（中）の設定を行う。イメージサイズの設定結果を得て、ファインダ内の表示を行う。ファインダ視野内のスーパーインポーズ表示には、イメージサイズ（中）の時に焦点検出が可能な焦点検出点が５点存在するので、焦点検出が可能な５点の焦点検出点が点燈する。また、視野外表示部においては、焦点検出点が５点有効となるので数字の「５」が点燈する（ステップＳ１７）。外観表示部の外部表示ＬＣＤ１５３においても、イメージサイズ設定結果を基に焦点検出点の５点が有効である指標を表示する。表示内容は焦点検出点が５点有効となるので数字の「５」が点燈する（ステップＳ１８）。
【００７４】
以上、イメージサイズ（中）の設定が終了するとステップＳ１９へ進む。ステップＳ１９では、ＡＦシーケンス制御手段１３が起動され、先ず測距素子であるＣＣＤの残留電荷の消去が行われ、次いで測距素子部へ被写体像を導いて所定の電荷が得られるまで電荷蓄積を行い、所定電荷量（電圧）に達すると上記蓄積を停止してＣＣＤ各素子の信号を不図示のメモリに転送する（ステップＳ１９〜ステップＳ２１）。
【００７５】
転送データからデフォーカス量を求め、さらにＫ値を用いて計数値が変換計算され（ステップＳ２２）、そして、合焦判定を行い（ステップＳ２３、Ｓ２４）、合焦でなければステップＳ４８へ移行し、レンズの駆動を行い、ステップＳ１９へ戻り、再度前述の動作（ステップＳ１９〜ステップＳ２４）を繰り返す。
【００７６】
合焦後、イメージサイズ（中）におけるファインダ視野内において有効なスーパーインポーズ表示（５点）のうち、合焦領域のスーパーインポーズ表示のみ点燈をする（ステップＳ２５）。ＬＣＤモニタ１５４にも図８（ｂ）に示すように表示部全体に合焦領域の焦点検出点が表示され、前述同様に合焦領域のスーパーインポーズ表示のみ点燈をする（ステップＳ２６）。これにより、ファインダ視野内、ＬＣＤモニタ１５４の２つの異なる撮影系ファインダにイメージサイズの領域が表示されレリーズを行うことができる。
【００７７】
一方、ステップＳ１５のイメージサイズ情報確認でイメージサイズ情報がイメージサイズ（中）以外と確認された時は、イメージサイズ（小）の撮影レンズが装着されていることになる。よって、イメージサイズ情報から焦点検出領域に対するイメージサイズ（小）の設定を行う（ステップＳ２７）。イメージサイズの設定結果を得て、ファインダ内の表示を行う。ファインダ視野内のスーパーインポーズ表示には、イメージサイズ（小）の時に焦点検出が可能な領域は１点のみで、その焦点検出が可能な１点のみ焦点検出点が点燈する。また、視野外表示においては、焦点検出点が１点のみ有効となるので数字の「１」が点燈する（ステップＳ２８）。
【００７８】
外観表示部の外部表示ＬＣＤ１５３においても、イメージサイズ設定結果を基に焦点検出点の１点が有効である指標を表示する。表示内容は焦点検出点が１点有効となるので数字の「１」が点燈する（ステップＳ２９）。
【００７９】
以上、イメージサイズ（小）の設定が終了するとステップＳ３０へ進む。ステップＳ３０ではＡＦシーケンス制御手段１３が起動され、先ず測距素子であるＣＣＤの残留電荷の消去が行われ、次いで測距素子部へ被写体像を導いて所定の電荷が得られるまで電荷蓄積を行い、所定電荷量（電圧）に達すると上記蓄積を停止してＣＣＤ各素子の信号を不図示のメモリに転送する（ステップＳ３０〜ステップＳ３２）。
【００８０】
転送データからデフォーカス量を求め、さらにＫ値を用いて計数値が変換計算され（ステップＳ３３）、そして、合焦判定を行い（ステップＳ３４、Ｓ３５）、合焦でなければステップＳ５８へ移行し、レンズの駆動を行い、ステップＳ３０へ戻り、再度前述の動作（ステップＳ３０〜ステップＳ３５）を繰り返す。
【００８１】
合焦後、イメージサイズ（小）のファインダ視野内においては、有効なスーパーインポーズ表示（１点）のみであるため、合焦時のみスーパーインポーズ表示が点燈をする（ステップＳ３６）。ＬＣＤモニタ１５４にも図８（ｃ）に示すように表示部全体に有効な焦点検出点が１点のみ存在し、前述同様に合焦時のみスーパーインポーズ表示が点燈をする（ステップＳ３７）。
【００８２】
これにより、ファインダ視野内、ＬＣＤモニタ１５４の２つの異なる撮影系ファインダにイメージサイズの領域が表示され、レリーズを行うことができる。
【００８３】
このように本実施形態では、カメラ本体側のイメージサイズに対してイメージサイズの小さいレンズを装着した時には電子ズームにより切り出し画像の領域を変更し、変更した撮影画像サイズに応じた焦点検出表示を行うことができる。すなわち、撮影レンズからのイメージサイズ情報の取得により、有効なイメージサイズ範囲を撮影者に知らせ、且つ各イメージサイズにおいて適正な焦点検出領域を設定し合焦させることができる。従って、各イメージサイズでの適正な合焦を実行することで、ピントのとれた鮮明な撮影を行うことができる。
【００８４】
［第２実施形態］
前述の実施形態では、ファインダ視野外におけるイメージサイズの大きさを表す指標として焦点検出点の数字を表示させたが、図１４（ａ），（ｂ），（ｃ）の５０に示す指標のように、各イメージサイズの大きさにより図形形状を変えて用いても良い。スーパーインポーズ表示についても発光色を変えたり、形状を変化させて表示しても有効な効果を得ることができる。
【００８５】
本体外観部にある外部表示ＬＣＤ１５３の表示状態についても同様で、イメージサイズの大きさを表す指標を焦点検出点の数字を表示させたが、図１５（ａ），（ｂ），（ｃ）に示す指標のように、各イメージサイズの大きさにより図形形状を変えて用いても何ら問題はない。
【００８６】
以上のように、イメージサイズの領域や合焦領域を示す表示部の形態について、状況に応じて様々な組合せを用いることで、有効な撮影状況を提供することができる。
【００８７】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００８８】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００８９】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００９０】
［実施態様］
本発明の実施態様の例を以下に列挙する。
【００９１】
＜実施態様１＞  交換レンズのイメージサイズ情報が記録された交換レンズ側から、前記イメージサイズ情報を入力する入力手段と、前記入力手段によって入力された前記イメージサイズ情報に基づき、前記交換レンズのイメージサイズが当該撮像装置本体のイメージサイズに適合するか否かを判定する判定手段と、前記判定手段によって不適合と判定されたときに、画像を拡大する電子ズームにより前記交換レンズのイメージサイズに当該撮像装置本体を適合させる適合手段とを備え、前記適合手段により電子ズームが行われたときは、電子ズームの拡大率に基づいて焦点検出領域を変更して、変更後の焦点検出領域を表示手段により表示し、レンズの合焦制御を行うことを特徴とする撮像装置。
【００９２】
＜実施態様２＞  前記表示手段は、ファインダ視野枠内にスーパーインポーズ表示を行うことを特徴とする実施態様１に記載の撮像装置。
【００９３】
＜実施態様３＞  前記表示手段は、ファインダ内の視野枠外に表示を行うことを特徴とする実施態様１に記載の撮像装置。
【００９４】
＜実施態様４＞  前記表示手段は、当該撮像装置本体のファインダ外に表示を行うことを特徴とする撮像装置。
【００９５】
＜実施態様５＞  前記表示手段は、電子ズームの拡大率に基づいて異なる表示形態の表示を行うことを特徴とする実施態様４記載の撮像装置。
【００９６】
＜実施態様６＞  前記表示手段は、ファインダ視野枠内にスーパーインポーズ表示を異なる発光色で表示を行うことを特徴とする実施態様１乃至５記載の撮像装置。
【００９７】
＜実施態様７＞  交換レンズのイメージサイズ情報が記録された交換レンズ側から、前記イメージサイズ情報を入力する入力工程と、前記入力工程によって入力された前記イメージサイズ情報に基づき、前記交換レンズのイメージサイズが当該撮像装置本体のイメージサイズに適合するか否かを判定する判定工程と、前記判定工程によって不適合と判定されたときに、画像を拡大する電子ズームにより前記交換レンズのイメージサイズに当該撮像装置本体を適合させる適合工程と、前記適合工程により電子ズームが行われたときは、電子ズームの拡大率に基づいて焦点検出領域を変更して、変更後の焦点検出領域を表示手段により表示し、レンズの合焦制御を行う工程とを有することを特徴とする撮像装置の制御方法。
【００９８】
＜実施態様８＞  交換レンズのイメージサイズ情報が記録された交換レンズ側から、前記イメージサイズ情報を入力する入力ステップと、前記入力ステップによって入力された前記イメージサイズ情報に基づき、前記交換レンズのイメージサイズが当該撮像装置本体のイメージサイズに適合するか否かを判定する判定ステップと、前記判定ステップによって不適合と判定されたときに、画像を拡大する電子ズームにより前記交換レンズのイメージサイズに当該撮像装置本体を適合させる適合ステップと、前記適合ステップにより電子ズームが行われたときは、電子ズームの拡大率に基づいて焦点検出領域を変更して、変更後の焦点検出領域を表示手段により表示し、レンズの合焦制御を行うステップとを有する制御プログラムを提供することを特徴とする媒体。
【００９９】
＜実施態様９＞  交換レンズのイメージサイズ情報が記録された交換レンズ側から、前記イメージサイズ情報を入力する入力ステップと、前記入力ステップによって入力された前記イメージサイズ情報に基づき、前記交換レンズのイメージサイズが当該撮像装置本体のイメージサイズに適合するか否かを判定する判定ステップと、前記判定ステップによって不適合と判定されたときに、画像を拡大する電子ズームにより前記交換レンズのイメージサイズに当該撮像装置本体を適合させる適合ステップと、前記適合ステップにより電子ズームが行われたときは、電子ズームの拡大率に基づいて焦点検出領域を変更して、変更後の焦点検出領域を表示手段により表示し、レンズの合焦制御を行うステップとを有することを特徴とする制御プログラム。
【０１００】
【発明の効果】
以上詳細に説明したように本発明によれば、撮像装置本体側のイメージサイズに対して異なるイメージサイズのレンズを装着したときにも、撮影が可能となるように焦点検出領域を設定して適正な焦点調整を行うことができ、常に的確な撮影が可能になる。
【図面の簡単な説明】
【図１】本発明の第１実施形態に係るデジタル一眼レフカメラの外観を示す上面図である。
【図２】図１に示したデジタル一眼レフカメラの外観を示す背面図である。
【図３】図１に示したデジタル一眼レフカメラの概略構造を示す断面図である。
【図４】図１に示したカメラの電気的構成を示すブロック図である。
【図５】システムコントローラ１内の各機能を実現する機能達成手段を示すブロック図である。
【図６】ＬＣＤモニタに表示されるイメージサイズと焦点検出領域の関係を示す図である。
【図７】異なるイメージサイズの撮影レンズが装着されている場合における焦点検出点を示す図である。
【図８】ＬＣＤモニタに表示される焦点検出領域を示す図である。
【図９】第１実施形態に係るイメージサイズの異なる撮影レンズが装着された時のファインダ内の表示状態を示す図である。
【図１０】第１実施形態に係る外観部にある外部表示ＬＣＤ１５３の表示状態を示す図である。
【図１１】第１実施形態のカメラの動作を示すフローチャートである。
【図１２】第１実施形態のカメラの動作を示すフローチャートである。
【図１３】第１実施形態のカメラの動作を示すフローチャートである。
【図１４】第２実施形態に係るイメージサイズの異なる撮影レンズが装着された時のファインダ内の表示状態を示す図である。
【図１５】第２実施形態に係る外観部にある外部表示ＬＣＤ１５３の表示状態を示す図である。
【符号の説明】
１  システムコントローラ
２  記憶手段
３  焦点検出手段
４  レンズ駆動手段
５  露出制御手段
６  絞り制御手段
７  ミラー制御手段
８  フィルム給送手段
９  メモリ
１０  イメージサイズ判定手段
１１  合焦幅切替手段
１２  合焦判定手段
１３  ＡＦシーケンス制御手段
１４  メカシーケンス制御手段
２０  イメージサイズ（大）
２１  イメージサイズ（中）
２２  イメージサイズ（小）
２３  イメージサイズ（大）の撮影エリア
２４  イメージサイズ（中）の撮影エリア
２５  イメージサイズ（小）の撮影エリア
２６〜３２  焦点検出点
３６  ファインダ視野外のイメージサイズ表示
４８  外観表示ＬＥＤのイメージサイズ表示
１００  カメラ本体
１０７  視野枠
１５３  外部表示ＬＥＤ
１５４  ＬＣＤモニタ
１５６  ファインダ接眼窓
２００  撮影レンズ
【図１】
2004212892.tif 000003
【図２】
2004212892.tif 000004
【図３】
2004212892.tif 000005
【図４】
2004212892.tif 000006
【図５】
2004212892.tif 000007
【図６】
2004212892.tif 000008
【図７】
2004212892.tif 000009
【図８】
2004212892.tif 000010
【図９】
2004212892.tif 000011
【図１０】
2004212892.tif 000012
【図１１】
2004212892.tif 000013
【図１２】
2004212892.tif 000014
【図１３】
2004212892.tif 000015
【図１４】
2004212892.tif 000016
【図１５】
2004212892.tif 000017